(57)【要約】【課題】  指への着脱が容易で使用感が良好であり、ブラシ部で毛髪を梳いても塗布具が指の周囲で空回りせず、一体成形による大量生産が可能な毛髪化粧料塗布具を提供する。【解決手段】  手指の外周形状に沿う内周形状を有する軟質樹脂製の筒状体の基端側を手指挿入用の開口部とし、筒状体先端側の外周部にはブラシ部を形成した毛髪化粧料塗布具であって、筒状体の周壁部内周には、筒状体の軸方向に沿うリブを全周にわたり適宜な間隔で複数形成した毛髪化粧料塗布具。【選択図】図１
2020000611.tif 000002
【特許請求の範囲】
【請求項１】
手指の外周形状に沿う内周形状を有する軟質樹脂製の筒状体の基端側を手指挿入用の開口部とし、筒状体先端側の外周部にはブラシ部を形成した毛髪化粧料塗布具であって、
前記筒状体の周壁部内周には、筒状体の軸方向に沿う凸条又は突起列であるリブを、全周にわたり適宜な間隔で複数形成したことを特徴とする毛髪化粧料塗布具。
【請求項２】
前記筒状体の周壁部によって規定される筒状体内径（Ｘ）と、筒状体における前記複数のリブである各凸条の頂部線又は各突起列における突起頂部連結線を通過する仮想の周面によって規定される縮小内径（Ｙ）との内径差（Ｘ−Ｙ）が０．４〜５．０ｍｍの範囲内であることを特徴とする請求項１に記載の毛髪化粧料塗布具。
【請求項３】
前記リブを筒状体の周壁部内周に略等間隔に７〜１５本形成したことを特徴とする請求項１又は請求項２に記載の毛髪化粧料塗布具。
【請求項４】
前記筒状体の先端が閉じており、かつ筒状体におけるブラシ部を形成した周壁部に対向する周壁部には通気用の小孔を設けたことを特徴とする請求項１〜請求項３のいずれかに記載の毛髪化粧料塗布具。
【発明の詳細な説明】
【技術分野】
【０００１】
本発明は、染毛剤その他の各種毛髪化粧料を頭髪等の毛髪に塗布するための、染毛剤などの毛髪化粧料塗布具に関し、より具体的には、人さし指等の手指に装着できる筒状の形態を有し、その外周部にブラシ部を備える指装着式の毛髪化粧料塗布具に関する。
本発明において「毛髪」とは、ヒトの頭髪、髭、眉毛、すね毛等の体毛の他、ペット、家畜等の動物の体毛も含む。特にヒトの頭髪が好ましい。また、染毛剤などへの使用が好ましい。
【背景技術】
【０００２】
クリーム状、ゲル状、泡状等の毛髪化粧料は、一般的に、コームを用いたり、手で握持するブラシ等を用いて毛髪に塗布している。しかし、例えば髪の生え際を部分染めする場合や、全体染めにおいて毛髪化粧料の塗布不十分であった部分の毛髪に追加で少量の塗布を行う場合には、指装着式の塗布具を用いて、狭い部分に正確に塗布する方が好適なこともある。全体染めなどの際に指装着式の塗布具を用いることも、もちろん可能である。
【０００３】
例えば下記の特許文献１では、髪の染色時に使用する指サック３であって、全体を肉厚のスポンジ１で構成し指挿入穴２を設けた髪の毛染色用スポンジ指サックを提案している。また下記の特許文献２では、指先に装着されるシートと、シートに固着されたブラシ部からなり、当該ブラシ部では長さ及び太さを数値限定した多数のブラシ歯を基板に立設した染毛ブラシを提案している。
【０００４】
更に下記の特許文献３は、手袋本体の手の平側の全体に、又は指部に、又は人差し指部にブラシを固着してなるブラシ付き手袋を提案しており、毛染め作業や食器の水洗作業などに好適であるとしている。また、ブラシ部を手袋本体の成形と同時に一体成形する場合を実用新案登録請求の範囲（７）項に記載している。
【０００５】
一方、下記の特許文献４は、テープ状のシート本体（１）の表面中央部にブラシ材料（２）を取りつけ、シート本体（１）の裏面に粘着剤層（３）を設けた歯ブラシを提案している。
【先行技術文献】
【特許文献】
【０００６】
【特許文献１】実開昭５６−５８９０２号公報
【特許文献２】特開２００３−３３９４２４号公報
【特許文献３】実開平３−７８４２１号公報
【特許文献４】実開昭６３−１４８２２３号公報
【発明の概要】
【発明が解決しようとする課題】
【０００７】
ところで、「ブラシで毛髪を梳く」という操作は、ブラシの歯を毛髪中に喰込ませた状態で、ブラシ部を毛髪の流れ方向へ摺動させる（摺り動かす）操作である。そのため、毛髪を梳く際に、ブラシを摺動方向とは逆回りに回転させようとする強い摩擦抵抗を生じる。
この点は、通常のハンドル部付きブラシを手で握持して毛髪を梳く場合には、ハンドル部を強く握持しているために余り知覚されない。しかし、指装着式の毛髪化粧料塗布具の場合には、この摩擦抵抗が大きな問題となる。
【０００８】
特許文献１の指サック３は、先端部が閉止された筒状のスポンジ製サックであり、ブラシ部を備えないので毛髪を梳くことができず、毛髪化粧料を十分に伸ばし、毛髪中へ浸透させることができない。
【０００９】
この指サック３にブラシ部を後付けするとしても、毛髪を梳く際の摩擦抵抗により指サック３が指の周囲で空回りして、使用に耐えないことが予想される。この問題に対して、筒状の指サック３の内径を、装着時に指が強く緊縛されるように小さく設計すれば空回りをある程度まで防止できるが、伸縮性の乏しいスポンジで強く緊縛されるため使用感が悪く、着脱にも時間が掛かる。
【００１０】
特許文献２の染毛ブラシは、指装着式の塗布具を構成するためのシートに対してブラシ部を固着している。また、塗布具の本体が柔軟性のあるシート材で構成されるため使用感は悪くないし、使用時に指先の関節を曲げ伸ばしできるという自由度もある。
しかし特許文献２の染毛ブラシでは、指に装着した染毛ブラシの空回りを防ぐため、シート材の片面は指に貼付させるための粘着面としており（段落0014）、指への着脱の都度シートの貼付面を剥がして図１に示す状態に展開するという不便があり、この点に加えて、シート材の粘着面を作成するための材料、工程が大きなコストアップ要因となる。
【００１１】
特許文献３のブラシ付き手袋は、通常の５本指の手袋の全体又は一部にブラシを固着したものである。実用新案登録請求の範囲（７）項には「ブラシ部を手袋本体の成形と同時に一体成形する」場合を記載している。
しかし、手袋の指部に設けたブラシ部であっても、装着時に遊びのある手袋なら、一定の角度範囲で捩じれるように空回りして役に立たない場合が多いし、装着時に遊びのない手袋は着脱に時間がかかる。また、例えば人さし指にブラシを固着した手袋なら、ブラシ部を親指や中指に付け替えることができないし、利き手を考慮して「右手用」、「左手用」の二通りを準備する必要がある。更に、軟質樹脂製等の手袋を「多数個取り」によって安価に製造するには、ディップ（浸漬）成形によらざるを得ないと考えられる。その場合、特許文献３に記載するようなブラシ付き手袋の一体成形はできない。従って、このブラシ付き手袋は別々に製造した手袋本体とブラシ部を後工程において適宜な方法で一体化させるしかなく、効率的大量生産と安価な商品提供ができない。
【００１２】
特許文献４は本発明の毛髪化粧料塗布具とは用途が異なる歯ブラシに関するが、特許文献２として上記した染毛ブラシと同様な構成を備え、従って特許文献２に関して指摘した点と同様の技術的課題が存在する。
【００１３】
そこで本発明は、ブラシ部を備えた指装着式の筒状の毛髪化粧料塗布具であって、指への着脱が容易で使用感が良好であり、使用時にブラシ部で毛髪を梳いても筒状塗布具が指の周囲で空回りせず、しかも、これらの効果を奏するための塗布具の構成が、その一体成形による大量生産を阻害しない毛髪化粧料塗布具を提供することを、解決すべき課題とする。
【課題を解決するための手段】
【００１４】
（第１発明の構成）
上記課題を解決するための本願第１発明は、手指の外周形状に沿う内周形状を有する軟質樹脂製の筒状体の基端側を手指挿入用の開口部とし、筒状体先端側の外周部にはブラシ部を形成した毛髪化粧料塗布具であって、前記筒状体の周壁部内周には、筒状体の軸方向に沿う凸条又は突起列であるリブを、全周にわたり適宜な間隔で複数形成した、毛髪化粧料塗布具である。
【００１５】
（第２発明の構成）
上記課題を解決するための本願第２発明においては、前記第１発明に係る毛髪化粧料塗布具の筒状体の周壁部によって規定される筒状体内径（Ｘ）と、筒状体における前記複数のリブである各凸条の頂部線又は各突起列における突起頂部連結線を通過する仮想の周面によって規定される縮小内径（Ｙ）との内径差（Ｘ−Ｙ）が０．４〜５．０ｍｍの範囲内である、毛髪化粧料塗布具である。
【００１６】
（第３発明の構成）
上記課題を解決するための本願第３発明においては、前記第１発明又は第２発明に係る毛髪化粧料塗布具のリブを筒状体の周壁部内周に略等間隔に７〜１５本形成した、毛髪化粧料塗布具である。
【００１７】
（第４発明の構成）
上記課題を解決するための本願第４発明においては、前記第１発明〜第３発明のいずれかに係る毛髪化粧料塗布具の筒状体の先端が閉じており、かつ筒状体におけるブラシ部を形成した周壁部に対向する周壁部には通気用の小孔を設けた、毛髪化粧料塗布具である。
【発明の効果】
【００１８】
（第１発明の効果）
第１発明の毛髪化粧料塗布具は、手指の外周形状に沿う内周形状を有する軟質樹脂製の筒状体であり、その筒状体の先端側の外周部にブラシ部を形成したものである。軟質樹脂は伸縮性があるため、第１に装着時に指にフィットすると同時に指を過剰に緊縛せず使用感が良好であり、第２に着脱が容易であると共に装着時に指先（中節骨や末節骨の部分）を自由に曲げ伸ばしできるので、使用時の自由度が高い。
【００１９】
次に、筒状体の周壁部内周には、筒状体の軸方向に沿う凸条又は突起列であるリブを、全周にわたり適宜な間隔で複数形成している。これらのリブは、軟質樹脂の伸縮性に基づいて装着した指に対して弾力的に強く圧接され、しかも、適宜な間隔で複数形成したリブによる凹凸構造が塗布具の空回りに抵抗し、リブと指との間の摩擦抵抗が効率的に高まる。リブが軟質樹脂製であるため、この摩擦抵抗が更に大きくなる。これらの理由から、使用時にブラシ部で毛髪を梳いても、塗布具が指の周囲で空回りしない。
【００２０】
本願発明者は、滑らかな内周面を有する軟質樹脂製のブラシ付き筒状体と、内周面に上記リブを備えた軟質樹脂製のブラシ付き筒状体とを用い、これらの内周面が指に対して同様の強さで圧接される条件下でそれぞれ人さし指に装着し、それらのブラシ部で毛髪を梳く比較実験を行った結果、筒状体の空回り防止効果は後者の筒状体において顕著に高いことを見出した。
【００２１】
次に、特許文献３に関して前記したように、軟質樹脂製等の手袋はディップ成形によって大量生産されるが、第１発明に係る軟質樹脂製の筒状体は多数個取りの射出成形やコンプレッション成形により大量生産できる。筒状体の周壁部内周に形成するリブは、筒状体の軸方向に沿って形成するので、射出成型時やコンプレッション成形時の型抜きの障害とならない。筒状体の外周部に形成するブラシ部は、成形型中に適宜な可動型を組込めば対処できる。従って、第１発明の毛髪化粧料塗布具は、その一体成形による大量生産を阻害しない構成を備えている。
なお、毛髪化粧料塗布具における筒状体の部分とブラシ部とをいわゆる二色成形によって成形することも可能である。その場合、大量生産性と生産コストは幾分損なわれるが、例えば筒状体の部分を軟質樹脂で成形すると共にブラシ部をブラッシング効果の高い硬質樹脂で成形することができる。
この毛髪化粧料塗布具は、生え際やフェイスラインへの使用が適しており、その使用時には、毛髪化粧料塗布具を指に装着してそのまま液をすくい取ったり、指に装着した毛髪化粧料塗布具に対して直接に毛髪化粧料液を出して使用することもできる。
【００２２】
（第２発明の効果）
筒状体内径（Ｘ）と縮小内径（Ｙ）との内径差（Ｘ−Ｙ）は必ずしも限定されないが、第２発明に規定するように０．４〜５．０ｍｍの範囲内である場合に、第１発明に係る毛髪化粧料塗布具の効果、具体的には着脱の容易さ、使用感の良好さ、使用時の空回り防止効果が特に好ましく実現される。
【００２３】
（第３発明の効果）
筒状体の周壁部内周に設けるリブの本数は必ずしも限定されないが、第３発明に規定するように、周壁部内周に略等間隔に７〜１５本の範囲内で形成すると、第１発明に係る毛髪化粧料塗布具の効果、具体的には使用感の良好さ、使用時の空回り防止効果が特に好ましく実現される。
【００２４】
（第４発明の効果）
毛髪化粧料塗布具における筒状体の先端が閉じていれば、塗布具の使用時において、特に毛髪化粧料が皮膚等に染着する染毛剤である場合に、使用者の指先に対するそのような染着を防止できる。
先端が閉じた筒状体から指を抜こうとすると、筒状体の内部が負圧となって幾分抜き難いが、筒状体の先端部に通気用の小孔を設けておくと、このような負圧を生じない。通気用の小孔をブラシ部の裏側の部分に設けておくと、毛髪化粧料による指の皮膚（又は爪）の染着のリスクを最小限にできる。
【図面の簡単な説明】
【００２５】
【図１】第１実施例に係る毛髪化粧料塗布具の正面図である。
【図２】図１のＡ−Ａ線断面図である。
【図３】図１のＢ−Ｂ線断面の端面図である。
【図４】第１実施例に係る毛髪化粧料塗布具の斜視図である。
【図５】第１実施例に係る毛髪化粧料塗布具の使用状態を示す図である。
【図６】第２実施例に係る毛髪化粧料塗布具の斜視図である。
【符号の説明】
【００２６】
１、１ａ      毛髪化粧料塗布具
２、２ａ      筒状本体
３            開口部
４            周壁部
５            リブ
６、６ａ      ブラシ部
７、７ａ      ブラシ歯
８            小孔
９            人さし指
Ｘ            筒状体内径
Ｙ            縮小内径
Ｚ            周面
【発明を実施するための形態】
【００２７】
以下に本発明の実施形態をその最良の形態を含めて説明する。本発明の技術的範囲は、以下の実施形態によって限定されない。
【００２８】
本発明の毛髪化粧料塗布具は、手指の外周形状に沿う内周形状を有する軟質樹脂製の筒状体の基端側を手指挿入用の開口部とし、筒状体先端側の外周部にはブラシ部を形成した毛髪化粧料塗布具であって、前記筒状体の周壁部内周には、筒状体の軸方向に沿う凸条又は突起列であるリブを、全周にわたり適宜な間隔で複数形成したものである。
毛髪化粧料塗布具における筒状体、ブラシ部、リブの各部材は一体成型品であることが好ましいが、毛髪化粧料塗布具の使用上の効果を阻害しない限りにおいて、各部材が一体成型品でなくても良い。
【００２９】
〔筒状体〕
筒状体は手指の外周形状に沿う内周形状を有する。ここに「手指」とは手の５本の指のいずれかであり、好ましくは人さし指又は中指であるが、親指、薬指又は小指であっても良い。毛髪化粧料塗布具の使用者には、指の長い人や短い人があり、指の細い人や太い人もあるが、筒状体は伸縮性の軟質樹脂製なので、これらの個人差にかなり対応できる。
周知のように、ヒトの親指以外の手指は３ケ所の関節を持ち、先端（指先）側から基端側へ向かい順に「第１関節」、「第２関節」、「第３関節」と呼ばれる。筒状体の長さに関しては、親指以外の手指への装着時に指先から第２関節まで達する長さ、又は指先から第２関節と第３関節との中間まで達する長さが好ましい。筒状体の内径は１０ｍｍ〜３０ｍｍの範囲内で任意に設計できる。
なお、筒状体の長さや内径に関しては、装着する指の個人差に対応する幾通りかの規格を設けても良い。
【００３０】
「手指の外周形状に沿う内周形状を有する筒状体」とは、手指の外周形状に正確に対応する内周形状を有する筒状体に限定されず、断面が円形、楕円形、多角形等の筒状体であっても良い。また、筒状体は全長にわたり同一の内径を有するものであっても良いが、やや先細りのテーパー状であっても良い。  
【００３１】
筒状体は基端側を手指挿入用の開口部とするが、この開口部では、耐久強度の向上、筒状体の縦置き状態での安定性向上などのため、筒状体の周壁部を幾分厚く形成しても良い。筒状体の先端は、使用時における毛髪化粧料の侵入を防ぐために閉じていても良く、指に対する毛髪化粧料塗布具の着脱を容易にするために開口していても良い。
【００３２】
毛髪化粧料塗布具の使用時において筒状体の内部に毛髪化粧料（例えば染毛剤）が侵入すると、指先に染毛剤が染着する恐れがある。
そこで、指に対する毛髪化粧料塗布具の着脱を容易にすると同時に、上記の染着の恐れを最小限にとどめるために、筒状体の先端を閉じた構造とし、かつ筒状体におけるブラシ部を形成した周壁部に対向する周壁部には通気用の小孔を設けることができる。筒状体におけるブラシ部と反対側の周壁部は相対的に毛髪化粧料が最も付着し難い。
【００３３】
〔軟質樹脂〕
使用する軟質樹脂の種類は限定されず、例えばシリコンゴム、イソプレンゴム、フッ素ゴム、スチレン・ブタジエンゴム、アクリロニトリル・ブタジエンゴム、エチレンプロピレンゴム、ブチレンゴム等の公知の各種材料を用いることができるが、シリコンゴムが特に好ましい。
軟質樹脂の硬度は限定されないが、ブラシ部の塗布性能、装着時のフィット感、操作性などを勘案すると、ＪＩＳ  Ｋ６２５３−３（２０１２年版）に基づく硬度が３０〜５０程度の軟質樹脂、特に硬度４０程度の軟質樹脂が好ましい。ＪＩＳ  Ｋ６２５３−３に基づく硬度は、公知のデュロメータを用いて測定することが可能である。
【００３４】
〔ブラシ部〕
ブラシ部は、毛髪化粧料塗布具の筒状体における先端側外周部に形成される。「筒状体の先端側」とは、必ずしも筒状体の先端部を意味せず、筒状体の基端部よりも先端側の部分を広く指している。
従って筒状体におけるブラシ部の形成可能な部位は広範囲にわたり、例えば下記の（ア）〜（オ）のように形成することができる。
（ア）筒状体の先端側における装着時の指先（中節骨及び／又は末節骨）に相当する部分の全周にわたりブラシ部を形成する。
（イ）筒状体の先端側における装着時の指の腹側部分の全長にわたりブラシ部を形成する。
（ウ）筒状体の先端側における装着時の指先（中節骨及び／又は末節骨）に相当する部分の指の腹側にブラシ部を形成する。その具体的な一例を第１実施例において後述する。
（エ）筒状体の先端が閉じている場合において、その閉じた先端部に、筒状体の軸方向へブラシ歯を突出させたブラシ部を形成する。
（オ）上記した（ウ）及び（エ）のブラシ部が共に形成されている。その具体的な一例を第２実施例において後述する。
【００３５】
毛髪化粧料塗布具における筒状体の部分とブラシ部とを二色成形により製造することも可能である。その場合、生産の効率とコストは幾分損なわれるが、例えば、筒状体を軟質樹脂で成形すると共に、ブラシ部を毛髪を梳く効果の高い硬質樹脂で成形することが可能となる。更に二色成形によれば、ブラシ部において、硬質のブラシ歯と軟質のブラシ歯を種々のパターンで混在させることもできる。
【００３６】
ブラシ部におけるブラシ歯の配列、個々のブラシ歯の高さ及び太さは限定されない。ブラシ歯の配列としては直列配置、千鳥配置などが例示される。ブラシ部、即ちブラシ歯を形成したエリアの広さは特に限定されないが、例えば、指先（中節骨及び／又は末節骨）の指腹部を覆う程度の広さとすることができ好ましくは末節骨の指腹部を覆う程度の広さとすることができる。ブラシ歯を形成したエリアの平面形状も任意に選択できるが、例えば円形、長円形、四角形、長方形などとすることができる。ブラシ部におけるブラシ歯の形成密度は限定されない。ブラシ部中にブラシ歯の形成密度が高い部分と低い部分を設けても良い。ブラシ歯の高さは、２〜５ｍｍのものが例示されるが、ブラシ部の操作性を考慮して、外側のブラシ歯と内側のブラシ歯との間に高低差を設けることもできる。ブラシ歯の太さは、例えば０．５〜２ｍｍ程度とすることができる。
【００３７】
〔リブ〕
リブは、筒状体の周壁部内周に、その軸方向に沿って設けられ、筒状体の周壁部内周の全周にわたり適宜な間隔で複数形成される。リブは筒状体の軸方向の全長にわたって設けても良いし、軸方向の全長の内、特定のエリア（例えば、筒状体の先端側に設け、又は指先（末節骨）に相当する部分に設ける）に設けても良い。
リブを筒状体の軸方向に沿って設けるので、第１に筒状体の成型時においてリブが型抜きの障害とならず、第２に「第１発明の効果」欄で前記した塗布具の空回りに対するリブの抵抗が有効に作用する。筒状体が軟質樹脂製である点を考慮すれば、リブを筒状体の軸方向に対して必ずしも完全に平行に設けなくても、実質的にリブが型抜きの障害とならない。
また、個々のリブの形態は、河川敷の堤防のような凸条であることが好ましいが、筒状体が軟質樹脂製である点を考慮すれば、筒状体の軸方向に沿って配列された多数の突起からなる突起列であっても、実質的にリブが型抜きの障害とならない。
凸条であるリブの幅は限定されないが、例えば０．５〜５ｍｍ、好ましくは１〜４ｍｍ、特に好ましくは１．５〜３ｍｍとすることができる。個々のリブにおいて、その幅が一定であっても良く、筒状体の先端方向へ向かって次第に広くなり、次第に狭くなり、あるいは広い部分と狭い部分が繰返す形態であっても良い。
【００３８】
筒状体の周壁部内周に設けるリブの高さが過剰であれば、毛髪化粧料塗布具の指への装着が手間取ると共に、装着後も指が強く緊縛されて使用感が悪い。反面、リブの高さが不足すれば、毛髪化粧料塗布具の使用時における指の周囲での空回りを有効に防止することができない。
以上の点を踏まえ、リブの好ましい高さは、図３に示すように、筒状体の周壁部によって規定される筒状体内径（Ｘ）と、筒状体の複数のリブである各凸条の頂部線又は各突起列における突起頂部連結線を通過する仮想の周面によって規定される縮小内径（Ｙ）との内径差（Ｘ−Ｙ）が０．４〜５．０ｍｍの範囲内となるような高さ、特に好ましくは１．０〜４．０ｍｍの範囲内となるような高さである。
凸条であるリブの高さに関しては、リブの全長にわたり上記範囲内の一定の高さであっても良いが、筒状体の先端方向へ向かって次第に高くなり、次第に低くなり、あるいは高い部分と低い部分が繰返す形態であっても良い。これらの「リブの高さ」の実施形態は、前記「第２発明の構成」に合致することを前提とするが、リブの高さが一定ではない場合には、前記縮小内径（Ｙ）はリブのより高い部分を基準として設定される。
【００３９】
筒状体の周壁部内周に設ける複数のリブは、適宜な相互間隔をもって、より好ましくは等しい相互間隔をもって形成される。本発明の効果が示される限りにおいてリブの本数は任意に設定できる。
しかしリブが多すぎても、少なすぎても、毛髪化粧料塗布具の使用時における指の周囲での空回りを生じ得る。以上の点から、リブの本数は７〜１５本であることが好ましく、９〜１３本であることがより好ましい。
【００４０】
〔通気用の小孔〕
筒状体におけるブラシ部を形成した周壁部に対向する周壁部（ブラシ部の裏側）には通気用の小孔を設けている。この小孔のサイズや形状は限定されないが、例えば内径１〜５ｍｍ程度の略円形あるいは多角形の小孔とすることができる。
【実施例】
【００４１】
以下に本発明の実施例を図面を参照しつつ説明する。本発明の技術的範囲は以下の実施例によって限定されない。
【００４２】
〔第１実施例〕
本発明の第１実施例を図１〜図５に基づいて説明する。
図１、図４に示す本実施例の毛髪化粧料塗布具１は硬度４０のシリコンゴムを用いた一体成形品であって、その筒状本体２は図２に示すように基端側に手指挿入用の開口部３を備える一方、先端側はドーム状に閉じている。筒状本体２の開口部３の外径は約２５ｍｍであるが、先端側のドーム状に閉じた部分の付近の外径は約１５ｍｍであり、全体として先端側へ向かうに従いやや先細りとなるテーパー状である。
【００４３】
また図３に示すように、筒状本体２は軸方向の任意の部位での径方向の断面が円形を示す円筒体であり、その周壁部４の厚さは、リブ５の形成部位を除いて、いずれの部位でも同一の約１ｍｍである。但し、開口部３の付近の周壁部４は、筒状体の強度向上や縦置き安定性を考慮して、周壁部４の外側方向へ幾分か厚肉化している。図２では、筒状本体２の左側の周壁部４が右側の周壁部４よりも厚く見える。これは、図１のＡ−Ａの切断線が図２の左側の周壁部においてリブ５の頂部を通過しているための、見掛けの差である。
【００４４】
リブ５は筒状本体２の周壁部４における開口部３から先端側はドーム状に閉じた部分の付近にかけて、筒状本体２の軸方向沿いに形成された合計１１本の凸条である。これらのリブ５はいずれも周壁部４から１ｍｍ隆起するように形成されている。
従って図３に示すように、筒状本体２の周壁部４によって規定される筒状体内径（Ｘ）と、筒状本体２の複数のリブ５の頂部を通過する仮想の周面（Ｚ）によって規定される縮小内径（Ｙ：１点鎖線で示す）との内径差（Ｘ−Ｙ）が、リブ５の上記した隆起幅１ｍｍの２倍の数値である２ｍｍである。
【００４５】
毛髪化粧料塗布具１の筒状本体２における先端側、より具体的には指に装着した際に指先である第１関節よりも先端側の部分に相当する部分の外周部には、ブラシ部６を設けている。ブラシ部６には多数のブラシ歯７、７・・・が図１の正面から見て縦横方向に直列状に配列して形成されている。これらのブラシ歯７は太さが１ｍｍであり、図１の正面から見て中央寄りのブラシ歯７は２〜３ｍｍと比較的低く形成し、左右側寄りのブラシ歯７は４〜５ｍｍと比較的高く、上端側寄りのブラシ歯７は更に高く形成することにより、多数のブラシ歯７、７・・・の頂部が同一平面に揃うように構成されている。このようなブラシ歯７、７・・・の構成では、毛髪への塗布後にブラシに残留して無駄となる塗布液の量を少なくすることができ、また次に述べるブラシ歯７、７・・・の構成に比較して、部分染めを行う際にもブラシ部の全面により効率の良い塗布ができるという利点を期待できる。
【００４６】
多数のブラシ歯７、７・・・の他の構成例として、左右側寄りのブラシ歯７よりも中央寄りのブラシ歯７が次第に高くなるようにしても良い。このようなブラシ歯７、７・・・の構成では、上記のブラシ歯７、７・・・の構成に比較して、特定の細部へのより正確な塗布ができるという利点を期待できる。
【００４７】
筒状本体２の周壁部４におけるブラシ部６を形成した部分に対向する（反対側の）周壁部４には直径約２ｍｍの通気用の小孔８を設けている。この通気用の小孔８により、毛髪化粧料塗布具１を指に装着する際の筒状本体２内の正圧の発生、及び指から外す際の負圧の発生が防止されるので、毛髪化粧料塗布具１の着脱が容易となる。
【００４８】
また、２ｍｍ程度の直径は通気孔として十分な大きさである一方、使用時に染毛剤等の毛髪化粧料がこの小孔８に達しても、毛管力の作用により毛髪化粧料が小孔８を通過し難い。
【００４９】
〔毛髪化粧料塗布具の使用状態〕
毛髪化粧料塗布具１を人さし指９に装着した状態を図５に示す。本実施例の毛髪化粧料塗布具１の全長は約６５０ｍｍであり、日本人としての一般的な身長である１５０〜１７５ｃｍ程度の者の人さし指９に装着した際には、基端側の開口部３が人さし指９の基部近くまで至る。
【００５０】
従ってこの場合、毛髪化粧料塗布具１の使用時において、人さし指９の第３関節及び第２関節をある程度屈曲させて毛髪を梳く操作を行うと、毛髪化粧料塗布具１も２ケ所で屈曲しているので、人さし指９の周囲で空回りする恐れは全くない。
【００５１】
〔第２実施例〕
本発明の第２実施例を図６に基づいて説明する。
本実施例の毛髪化粧料塗布具１ａでは、筒状本体２ａは前記第１実施例に係る筒状本体２と同様に先端が閉じており、かつ第１実施例の場合と同様に構成されたブラシ部６を設けているが、更に、筒状本体２ａの閉じた先端部には、筒状本体２ａの軸方向へブラシ歯７ａ、７ａ・・・を突出させたブラシ部６ａを形成している。これらのブラシ歯７ａ、７ａ・・・は一列に形成しているが、ブラシ部６と同様にブラシ歯７ａ、７ａ・・・を複数列に形成しても良い。
【００５２】
本実施例の毛髪化粧料塗布具１ａにおける上記以外の点の構成及び使用方法は、第１実施例に係る毛髪化粧料塗布具１と同様である。
【産業上の利用可能性】
【００５３】
本発明によれば、指への着脱が容易で使用感が良好であり、使用時にブラシ部で毛髪を梳いても筒状塗布具が指の周囲で空回りせず、これらの効果を奏するための構成が、その一体成形による大量生産を阻害しない指装着式の毛髪化粧料塗布具が提供される。
【図１】
2020000611.tif 000003
【図２】
2020000611.tif 000004
【図３】
2020000611.tif 000005
【図４】
2020000611.tif 000006
【図５】
2020000611.tif 000007
【図６】
2020000611.tif 000008